(57)【要約】【課題】  十分な循環風量が得られ、これによって新鮮な空気質が得られ、高い温度分布性能を得ることができる天井吊型空気調和装置を提供する。【解決手段】  天井に吊り下げられる空気調和機本体１００Ａと、この空気調和機本体と一体化された全熱交換器本体２００Ａとを備え、各本体の吹出し口３２，３４を夫々独立させると共に、空気調和機本体１００Ａの吹出し口３２から吹出される空気と、全熱交換器本体２００Ａの吹出し口３４から吹出される空気とを、各吹出し口の出口でミキシング自在に、各吹出し口３２，３４を近接配置させた。【選択図】      図３
2007107726.tif 000002
【特許請求の範囲】
【請求項１】
天井に吊り下げられる空気調和機本体と、
この空気調和機本体と一体化された全熱交換器本体とを備え、
各本体の吹出し口を夫々独立させると共に、
空気調和機本体の吹出し口から吹出される空気と、全熱交換器本体の吹出し口から吹出される空気とを、各吹出し口の出口でミキシング自在に、各吹出し口を近接配置させたことを特徴とする天吊型空気調和装置。
【請求項２】
全熱交換器本体を空気調和機本体の後部に配置したことを特徴とする請求項１記載の天吊型空気調和装置。
【請求項３】
全熱交換器本体の吹出し口を空気調和機本体の吹出し口の上部に近接配置させたことを特徴とする請求項１又は２記載の天吊型空気調和装置。
【請求項４】
全熱交換器本体の高さよりも空気調和機本体の高さを低くし、この低くなった空気調和機本体の上部に全熱交換器本体の給気風路を形成したことを特徴とする請求項１乃至３のいずれか一項記載の天吊型空気調和装置。
【請求項５】
全熱交換器本体の吹出し口の近傍に当該吹出し口から吹出される空気を空気調和機本体の吹出し口側に案内する案内手段を備えたことを特徴とする請求項１乃至４のいずれか一項記載の天吊型空気調和装置。
【請求項６】
全熱交換器本体につながる外気の吸気及び／又は排気ダクトを全熱交換器本体の下面若しくは背面から引き出せるようにしたことを特徴とする請求項１乃至５のいずれか一項記載の天吊型空気調和装置。
【請求項７】
全熱交換器本体の制御部と、空気調和機本体の制御部とを１つのリモコンにパッケージングしたことを特徴とする請求項１乃至６のいずれか一項記載の天吊型空気調和装置。
【請求項８】
全熱交換器本体に加湿器を内蔵したことを特徴とする請求項１乃至７のいずれか一項記載の天吊型空気調和装置。
【請求項９】
空気調和機本体の吸込グリルと全熱交換器本体の吸込グリルとを一体としたことを特徴とする請求項１乃至８のいずれか一項記載の天吊型空気調和装置。
【発明の詳細な説明】
【技術分野】
【０００１】
本発明は、天井に吊り下げられる天吊型空気調和装置に関する。
【背景技術】
【０００２】
従来、換気機能を備えたものとしては、ビルトインタイプが主流である。しかし、このビルトインタイプには、既設の建物に据え付ける場合、多大な工事費と工事期間がかかるという欠点がある。また、この天吊型空気調和装置のほかに、全熱交換器を別置きするタイプが提案されている。しかし、これだと、空気調和装置の吹出し口から吹出される空気の空気質や温度、湿度等が異なる空気が、全熱交換器から吹出されることになるため、室内空気にムラが生じるといった問題がある。
【０００３】
これに対し、空気調和機本体と、この空気調和機本体と一体化された全熱交換器本体とを備えた空気調和装置が提案されている（例えば、特許文献１）。
【０００４】
この場合、全熱交換器本体で熱交換された外気を、空気調和機本体の室内熱交換器の一次側に導入し、この一次側で外気と内気とをミキシングし、これらを熱交換した後、空気調和機本体の吹出し口から吹出すように構成されている。
【特許文献１】実公平３−３８７１号公報
【発明の開示】
【発明が解決しようとする課題】
【０００５】
しかしながら、全熱交換器本体で熱交換された外気を、空気調和機本体の室内熱交換器の一次側に導入した場合、この空気調和機本体の室内送風機の能力が不足して、十分な循環風量が得られなくなり、これによって新鮮な空気質が得られなくなると共に、温度分布性能が低くなるという問題がある。
【０００６】
そこで、本発明の目的は、上述した従来の技術が有する課題を解消し、十分な循環風量が得られ、これによって新鮮な空気質が得られ、高い温度分布性能を得ることができる天井吊型空気調和装置を提供することにある。
【課題を解決するための手段】
【０００７】
上記目的を達成するために、本発明は、天井に吊り下げられる空気調和機本体と、この空気調和機本体と一体化された全熱交換器本体とを備え、各本体の吹出し口を夫々独立させると共に、空気調和機本体の吹出し口から吹出される空気と、全熱交換器本体の吹出し口から吹出される空気とを、各吹出し口の出口でミキシング自在に、各吹出し口を近接配置させたことを特徴とする。
【０００８】
この場合において、全熱交換器本体を空気調和機本体の後部に配置してもよく、全熱交換器本体の吹出し口を、空気調和機本体の吹出し口の上部に近接配置させてもよい。また、全熱交換器本体の高さよりも空気調和機本体の高さを低くし、この低くなった空気調和機本体の上部に全熱交換器本体の給気風路を形成してもよい。全熱交換器本体の吹出し口の近傍に当該吹出し口から吹出される空気を空気調和機本体の吹出し口側に案内する案内手段を備えてもよい。
【０００９】
また、全熱交換器本体につながる外気の吸気及び／又は排気ダクトを全熱交換器本体の下面若しくは背面から引き出せるようにしてもよい。さらに、全熱交換器本体の制御部と、空気調和機本体の制御部とを１つのリモコンにパッケージングしてもよい。また、全熱交換器本体に加湿器を内蔵してもよく、空気調和機本体の吸込グリルと全熱交換器本体の吸込グリルとを一体化してもよい。
【発明の効果】
【００１０】
本発明では、十分な循環風量が得られ、これによって新鮮な空気質が得られ、高い温度分布性能を得ることができる。
【発明を実施するための最良の形態】
【００１１】
以下、本発明の一実施形態を添付した図面を参照して説明する。
【００１２】
図１において、１００は空気調和装置を示し、２００は全熱交換器を示している。この空気調和装置１００は、圧縮機１を備え、この圧縮機１には四方弁２を介して室外熱交換器３が接続されている。この室外熱交換器３には二つのメカ弁４、５を介して室内熱交換器６が接続され、この室内熱交換器６には上記四方弁２を介してアキュームレータ７が接続され、このアキュームレータ７は圧縮機１に接続されている。
【００１３】
この空気調和装置１００において、実線の矢印は、冷房運転時の冷媒の流れを示す。圧縮機１から吐出された冷媒は、四方弁２を経て室外熱交換器３に至り、ここで凝縮する。そして、メカ弁４、５を経て室内熱交換器６に至り、ここで、室内送風機６Ａからの送風を受けて蒸発して、四方弁２、アキュームレータ７を経て圧縮機１に戻る。上述した室内送風機６Ａによる送風により被調和室が冷房される。
【００１４】
破線矢印は、暖房運転時の冷媒の流れを示す。この場合において、圧縮機１から吐出された冷媒は、四方弁２を経て室内熱交換器６に至り、ここで、室内送風機６Ａからの送風を受けて凝縮した後、メカ弁５、４を経て室外熱交換器３に至る。そして、ここで蒸発して、四方弁２、アキュームレータ７を経て圧縮機１に戻る。上述した室内送風機６Ａによる送風により被調和室が暖房される。
【００１５】
全熱交換器２００は、全熱交換素子１１を備えて構成される。この全熱交換素子１１は、蛇行状に折り曲げた折曲げ紙に平板状紙をのせ、その上に、上記折曲げ紙とはその折り曲げ方向を変えた折曲げ紙を重ねるようにして、これら折曲げ紙と平板状紙とを順次積層させて構成されている。この全熱交換素子１１には、外気が導入されると共に、被調和室からの排気（内気）が供給される。そして、この内気と外気の間で熱交換した後、外気を被調和室に供給し、内気を被調和室の外に排気する機能を備える。ここで、外気は、給気ダクト１２、給気ファン１３を経た後、外気フィルタ１４を介して全熱交換素子１１に至り、ここから給気風路１５、加湿器１６、吹出しフラップ１７、吹出しルーバ１８を経て被調和室に吹出される。この加湿器１６には加湿タンク５００が接続され、このタンクに直接給水しておけば、この加湿器１６に加湿水が順次供給される。
【００１６】
被調和室からの内気は、吸込みグリル２１を経て全熱交換素子１１に至り、この全熱交換素子１１を経てダンパ２２、排気ファン２３、排気ダクト２４を介して室外に排気される。ダンパ２２は風路を遮断自在であり、これが風路を遮断した場合、吸込みグリル２１を経た内気は、全熱交換素子１１をバイパスし、普通換気風路２５を介して排気ファン２３に至り、排気ダクト２４を介して室外に排気される。
【００１７】
符号４００は、空気調和装置１００の運転制御を行うリモコンを示し、このリモコンは空気調和機本体１００Ａの制御部４０１と、全熱交換器本体２００Ａの制御部４０２とを１つのケースに収めて構成される。ここで、制御部４０１は室内送風機６Ａやメカ弁５などの制御を行い、制御部４０２は排気ファン２３、吸気ファン１３などの制御を行うものである。このように、１つのリモコン４００に２つの制御部４０１，４０２をパッケージングしたことにより、リモコン内のマイコンを共通化でき、また、これによってリモコン代が安価となり、リモコンの操作性が向上する。
【００１８】
図２は空気調和装置１００を下から見た斜視図である。
【００１９】
本実施形態では、空気調和装置１００が、天井に吊り下げられる空気調和機本体１００Ａと、この空気調和機本体１００Ａの後部に連結されて一体化された外気調温用の全熱交換器本体２００Ａとを備えて構成されている。
【００２０】
空気調和機本体１００Ａの内部には、図３に示すように、上述した室内熱交換器６、室内送風機６Ａ、ドレンパン６Ｂ、さらには電装箱１９等が配置され、その吸込みグリル９にはフィルタ９Ａが配置されている。これが運転されると、吸込みグリル９を介して内気が吸い込まれ、この内気は、室内送風機６Ａを経て室内熱交換器６に至り、ここで冷媒と熱交換した後に、吹出し口３２を介して被調和室に吹出される。
【００２１】
全熱交換器本体２００Ａの内部には、上述した全熱交換素子１１、給気ファン１３、排気ファン２３等が配置され、その吸込みグリル２１にはフィルタ２１Ａが配置されている。これが運転されると、吸込みグリル２１を介して内気が吸い込まれ、この内気は、全熱交換素子１１に至り、ここで、外気と熱交換した後に、排気ファン２３を介して室外に排気される。一方、外気は、給気ファン１３を介して、全熱交換素子１１に至り、ここで、内気と熱交換した後に、給気風路１５（図１参照）、加湿器１６、吹出しフラップ１７、吹出しルーバ１８等を経て、吹出し口３４から被調和室に吹出される。全熱交換器本体２００Ａには、給排気ダクト１２、２４が接続されるが、これら給排気ダクト１２、２４は、全熱交換器本体２００Ａの下面若しくは背面に接続される。
【００２２】
図３に示すダンパ２２が動作すると、内気の排出経路における全熱交換素子１１の出口が封鎖され、内気は、全熱交換素子１１をバイパスし、普通換気風路２５（図１参照）を介して排気ファン２３に至り、排気ダクト２４を介して室外に排気される。なお、図３では、加湿器１６、吹出しフラップ１７等の図示を省略している。
【００２３】
上記構成では、各本体１００Ａ，２００Ａの吹出し口３２，３４が夫々独立して形成されている。そして、各吹出し口３２，３４は、近接配置され、空気調和機本体１００Ａの吹出し口３２から吹出される空気と、全熱交換器本体２００Ａの吹出し口３４から吹出される空気とを、各吹出し口３２，３４の出口でミキシング自在に構成されている。このように、各吹出し口３２，３４は夫々独立し、本ユニット内では、全熱交換器本体２００Ａの空気が、空気調和機本体１００Ａ内に進入することがない。
【００２４】
この構成では、例えば、空気調和機本体１００Ａの吹出し風量が１０００ｍ３／ｈで設計され、全熱交換器本体２００Ａの吸込み風量が５００ｍ３／ｈで設計された場合、各吹出し口３２，３４が夫々独立であるため、そのときの循環風量は１５００ｍ３／ｈに維持される。ちなみに、従来の構成のように、全熱交換器本体２００Ａの給気風路が、空気調和機本体１００Ａの熱交換器の一次側に接続される構成であれば、各風量が、仮に上記と同様に設計されたとしても、そのときの循環風量は１５００ｍ３／ｈを大きく下回り、むしろ若干の風量アップに止まる。そのため、循環風量不足に至り、新鮮な空気質が得られなくなり、温度分布性能が低くなる。
【００２５】
本実施形態では、吹出し口３２，３４が夫々独立であるため、循環風量が大きくなり、これによって新鮮な空気質が得られ、高い温度分布性能を得ることができる。
【００２６】
この空気調和機本体１００Ａの高さＨ１は、図３に示すように、全熱交換器本体２００Ａの高さＨ２よりも低く形成され、この低くなった空気調和機本体１００Ａの上部には、全熱交換器本体２００Ａの給気風路１５が配置されている。そして、この給気風路１５を含んだ全熱交換器本体２００Ａの全高が、空気調和機本体１００Ａの高さＨ１とほぼ等しくなるように形成されている。
【００２７】
上記給気風路１５の先端部には、当該給気風路１５の幅とほぼ同一幅の吹出し口３４を備え、この吹出し口３４の全幅は、図２及び図４に示すように、空気調和機本体１００Ａの吹出し口３２の全幅と等しくなるように形成されている。また、全熱交換器本体２００Ａの吹出し口３４には、図３に示すように、当該吹出し口３４から吹出される空気を、空気調和機本体１００Ａの吹出し口３２側に案内する案内羽根（案内手段）３５が配置されている。この案内羽根３５の取り付け角度を適宜調整すれば、各吹出し口３２，３４の出口でのミキシング効果を高めることができる。
【００２８】
上記構成では、空気調和機本体１００Ａと全熱交換器本体２００Ａをユニット化したため、各本体を別々に吊り下げる場合に比べ、据付時の吊り工程が一回で済むため、据付作業に要する労力を軽減することができる。また、天吊り全熱交換器本体２００Ａの電源を天吊り空気調和機本体１００Ａと出荷の時点で共通とすることで、据付時の電気工事が一回で済むため、工事に要する労力を軽減でき、工事費を格安に抑えることができる。さらに、従来のビルトインタイプに比べた場合、余分な屋根裏工事が不要になる。天吊り空気調和機本体１００Ａの吹出し口３２と天吊り全熱交換器本体２００Ａの吹出し口３４を、接近させた状態としたことで、吹出した後、即時に気流がミキシングされるので、室内の温度ムラを少なくすることができると共に、空気質（供給外気と既存室内気）のムラを少なくすることができる。天吊り空気調和装置１００を一体型とすることで、例えば、上述したようにリモコン４００を一つにすることができ、操作性を向上させることができると共に、リモコン費用を低減することができる。
【００２９】
上記空気調和装置１００では、全熱交換器本体２００Ａの下面から給排気ダクト１２、２４を引き出す構成としたため、空気調和装置１００の後側に壁面３００がある場合、そのダクトに１つのエルボ３０１をつけるだけで、ダクトを後方に引き回すことができる。これによれば、ダクトの引き回し作業が容易となるだけでなく、空気調和装置１００を壁面３００に寄せて設置することができ、見栄えが向上する。
【００３０】
全熱交換器本体２００Ａに加湿器１６を設置すれば、室内に露出するため、簡単に給水を行うことができる等の効果が得られる。
【００３１】
以上、一実施形態に基づいて本発明を説明したが、本発明は、これに限定されるものでないことは云うまでもない。例えば、上記実施形態では、吹出し口３２，３４を上下に配置したが、この上下が逆であってもよいし、吹出し口３４が吹出し口３２を囲うように周囲に配置されていてもよい。また、全熱交換器本体２００Ａが、空気調和機本体１００Ａの後部に連結されていたが、これに限定されず、例えば、空気調和機本体１００Ａの側部に連結されていてもよい。また、図２に示すように、空気調和機本体１００Ａの吸込グリル２１と全熱交換器本体２００Ａの吸込グリル９とを別々に設けているが、例えば、これらのグリルにつながる吸込通路を１つにして、この吸込グリルを１つにすれば、吸込グリルのサービス点検が一度で事足り、サービスの手間が省けると共に、吸込グリルの共通化によりコストダウンを図ることができる。
【図面の簡単な説明】
【００３２】
【図１】本発明による天吊型空気調和装置の一実施形態を示す回路図である。
【図２】同天吊型空気調和装置を下から見た斜視図である。
【図３】同天吊型空気調和装置の断面図である。
【図４】同天吊型空気調和装置の平面図である。
【符号の説明】
【００３３】
６  室内熱交換器
６Ａ  室内送風機
１１  全熱交換素子
１３  給気ファン
１５  給気風路
２３  排気ファン
３２，３４  吹出し口
３５  案内羽根（案内手段）
１００Ａ  空気調和機本体
２００Ａ  全熱交換器本体
【図１】
2007107726.tif 000003
【図２】
2007107726.tif 000004
【図３】
2007107726.tif 000005
【図４】
2007107726.tif 000006